(57)【要約】【課題】特定の回路が使用されたことを確認できるようにすること。【解決手段】画像処理回路群２１は、それぞれが画像処理を行う。モード設定回路２２は、行うべき画像処理が指定されると、指定された画像処理を行う画像処理回路に対して、動作を指示する指示信号を発信する。指示信号線群２３は、それぞれがモード設定回路２２により発信された指示信号を伝達する。通知信号線群２４は、それぞれが、指示信号が伝達されたことを示す通知信号を伝達する。付与回路２５は、自回路に接続された通知信号線を介して通知信号が伝達されてきた場合、その通知信号に応じた通知情報を、その通知信号線が接続された指示信号線に接続された画像処理回路により処理が行われた画像に付与する。付与回路２５は、通知情報を付与した画像をスキャン画像処理部２０の外部に出力する。【選択図】図１
2017158100.tif 000002
【特許請求の範囲】
【請求項１】
第１信号を伝達する第１信号線と、
前記第１信号線に接続され、前記第１信号が伝達されると画像処理を行う第１回路と、
前記第１信号線に接続され、前記第１信号が伝達されたことを示す第２信号を伝達する第２信号線と、
前記第２信号線が接続され、当該第２信号線を介して前記第２信号が伝達されてきた場合、当該第２信号に応じた情報を前記第１回路により処理が行われた画像に付与する付与回路と
を備える集積回路。
【請求項２】
前記付与回路は、前記情報を付与した画像を自集積回路の外部に出力する
請求項１に記載の集積回路。
【請求項３】
前記第１信号を伝達する第３信号線と、
前記第３信号線に接続され、前記第１信号が伝達されると画像処理を行う第２回路とを備え、
前記付与回路と前記第３信号線とは信号線で接続されていない
請求項１又は２に記載の集積回路。
【請求項４】
指定された画像処理を行う回路に接続される信号線に前記第１信号を発信する発信部を備える
請求項１から３のいずれか１項に記載の集積回路。
【請求項５】
前記付与回路は、前記第１回路により処理が行われた画像が供給されてくると、当該画像の解像度に応じた方法で前記情報を当該画像に付与する
請求項１から４のいずれか１項に記載の集積回路。
【請求項６】
前記付与回路は、前記第２信号が伝達される頻度に応じた頻度で前記情報を前記画像に付与する
請求項１から５のいずれか１項に記載の集積回路。
【請求項７】
請求項１から６のいずれか１項に記載の集積回路と、
前記集積回路で前記情報が付与された画像をユーザに提供するための処理を行う処理部と
を備える画像処理装置。
【発明の詳細な説明】
【技術分野】
【０００１】
本発明は、集積回路及び画像処理装置に関する。
【背景技術】
【０００２】
特許文献１には、プリンタの構成データを符号化して挿入したイメージを印刷し、そのイメージを走査して分析ソフトウェアにかけて構成データを戻すことで、プリンタの問題点を診断したりデジタル公証機能として使用したりする技術が開示されている。
【先行技術文献】
【特許文献】
【０００３】
【特許文献１】特開２００３−９９２３７号公報
【発明の概要】
【発明が解決しようとする課題】
【０００４】
画像のサイズを変更する回路や画像の色を変換する回路など、画像処理を行う回路が複数設けられた集積回路において、特定のユーザだけに使用を許可する回路がある場合、許可されていないユーザがその回路を使用したことが見つけられるように、回路の使用の有無を確認できることが望ましい。特許文献１の技術では、そのように回路の使用の有無を確認することについては考えられていない。
そこで、本発明は、特定の回路が使用されたことを確認できるようにすることを目的とする。
【課題を解決するための手段】
【０００５】
本発明の請求項１に係る集積回路は、第１信号を伝達する第１信号線と、前記第１信号線に接続され、前記第１信号が伝達されると画像処理を行う第１回路と、前記第１信号線に接続され、前記第１信号が伝達されたことを示す第２信号を伝達する第２信号線と、前記第２信号線が接続され、当該第２信号線を介して前記第２信号が伝達されてきた場合、当該第２信号に応じた情報を前記第１回路により処理が行われた画像に付与する付与回路とを備えることを特徴とする。
【０００６】
本発明の請求項２に係る集積回路は、請求項１に記載の構成において、前記付与回路は、前記情報を付与した画像を自集積回路の外部に出力することを特徴とする。
【０００７】
本発明の請求項３に係る集積回路は、請求項１又は２に記載の構成において、前記第１信号を伝達する第３信号線と、前記第３信号線に接続され、前記第１信号が伝達されると画像処理を行う第２回路とを備え、前記付与回路と前記第３信号線とは信号線で接続されていないことを特徴とする。
【０００８】
本発明の請求項４に係る集積回路は、請求項１から３のいずれか１項に記載の構成において、指定された画像処理を行う回路に接続される信号線に前記第１信号を発信する発信部を備えることを特徴とする。
【０００９】
本発明の請求項５に係る集積回路は、請求項１から４のいずれか１項に記載の構成において、前記付与回路は、前記第１回路により処理が行われた画像が供給されてくると、当該画像の解像度に応じた方法で前記情報を当該画像に付与することを特徴とする。
【００１０】
本発明の請求項６に係る集積回路は、請求項１から５のいずれか１項に記載の構成において、前記付与回路は、前記第２信号が伝達される頻度に応じた頻度で前記情報を前記画像に付与することを特徴とする。
【００１１】
本発明の請求項７に係る画像処理装置は、請求項１から６のいずれか１項に記載の集積回路と、前記集積回路で前記情報が付与された画像をユーザに提供するための処理を行う処理部とを備えることを特徴とする。
【発明の効果】
【００１２】
請求項１、４、７に係る発明によれば、特定の回路が使用されたことを確認できるようにすることができる。
請求項２に係る発明によれば、情報が付与された画像が集積回路内で改ざんされることがないようにすることができる。
請求項３に係る発明によれば、全ての回路の使用に対して情報を付与する場合に比べて、特定の回路が使用されなかった場合の画質を向上させることができる。
請求項５に係る発明によれば、画像の解像度に合った方法で情報を付与することができる。
請求項６に係る発明によれば、特定の回路が使用される頻度に合った頻度で情報を付与することができる。
【図面の簡単な説明】
【００１３】
【図１】実施例に係る画像処理装置のハードウェア構成を表す図
【図２】スキャン画像処理部の詳細構成を表す図
【図３】画像に付与された通知情報の一例を表す図
【図４】プリント画像処理部の詳細構成を表す図
【図５】付与処理における画像処理装置１の動作手順の一例を表す図
【図６】付与方法テーブルの一例を表す図
【図７】付与頻度テーブルの一例を表す図
【図８】変形例に係る画像処理装置のハードウェア構成を表す図
【発明を実施するための形態】
【００１４】
［１］実施例
図１は実施例に係る画像処理装置１のハードウェア構成を表す。画像処理装置１は、スキャンやプリント、コピー、ファクシミリなど、画像を処理する機能を提供する。画像処理装置１は、ＳＯＣ（System-on-a-chip）１０と、ＲＯＭ（Read Only Memory）２と、ＵＩ（UserInterface）３と、ＤＲＡＭ（Dynamic Random Access Memory）４と、ストレージ５と、ＮＩＣ（Network Interface Card）６と、スキャナ７と、プリントエンジン８と、バス９とを備える。
【００１５】
ＳＯＣ１０は、画像処理に関連する機能を集積した半導体集積回路である。ＲＯＭ２は、プログラム等のデータが記憶された記憶手段である。ＵＩ３は、ユーザとの情報のやり取りを仲介するインターフェースである。ＵＩ３は、タッチスクリーンやボタンなどを備え、自装置の状態や処理の状態などを表す情報を表示するとともに、操作子などの画像を表示してユーザの操作を受け付けたり、ボタンを押すことによる操作を受け付けたりする。
【００１６】
ＤＲＡＭ４は、揮発性の記憶手段であり、例えば画像処理の際の一時的な作業記憶領域として用いられる。ストレージ５は、ＨＤＤ（Hard Disk Drive）やＳＳＤ（Solid State Drive）などの記憶媒体であり、プログラムやデータなどを記憶する。ＮＩＣ６は、通信回線に接続され、通信回線を介した外部装置との通信を仲介する。スキャナ７は、イメージセンサなどを備え、用紙の表面に表された画像を光学的に読み取る。プリントエンジン８は、例えば電子写真方式で用紙等の媒体に画像を形成する。バス９は、ＳＯＣ１０が備える各ハードウェアが接続され、それらのデータ交換を仲介する。
【００１７】
ＳＯＣ１０は、ＣＰＵ１１と、ＲＯＭ制御部１２と、ＵＩ制御部１３と、ＤＲＡＭ制御部１４と、ストレージ制御部１５と、ＮＩＣ制御部１６と、スキャン画像処理部２０と、プリント画像処理部３０とを備える。ＣＰＵ１１は、ＤＲＡＭ４を作業記憶領域として用いてＲＯＭ２やストレージ５に記憶されているプログラムを実行することで各部の動作を制御する。ＲＯＭ制御部１２からＮＩＣ制御部１６までの各制御部は、それぞれ対応するハードウェアの動作を制御する。
【００１８】
スキャン画像処理部２０は、各種の画像処理を行う複数の回路を備え、スキャナ７により読み取られた画像に対して画像処理を行う。スキャン画像処理部２０が画像処理を行った画像は、ストレージ５に記憶されたり、ＮＩＣ６を介して外部装置に送信されたり、プリントエンジン８により媒体に形成されたりする。プリント画像処理部３０は、各種の画像処理を行う複数の回路を備え、それらの回路により画像処理を行った画像をプリントエンジン８に供給し、その画像を媒体に形成させる。
【００１９】
図２はスキャン画像処理部２０の詳細構成を表す。スキャン画像処理部２０は、画像処理回路群２１と、モード設定回路２２と、指示信号線群２３と、通知信号線群２４と、付与回路２５とを備える。画像処理回路群２１は、それぞれが画像処理を行う複数の画像処理回路である。図２の例では、画像処理回路群２１に含まれる画像処理回路として、共通画像処理回路２１１と、専用画像処理回路２１２と、専用画像処理回路２１３と、共通画像処理回路２１４とが表されている。
【００２０】
共通画像処理回路２１１、２１４は、どのユーザであっても使用が許可されている画像処理回路である。専用画像処理回路２１２、２１３は、特定のユーザに使用が許可された画像処理回路である。図２の例では、まず共通画像処理回路２１１が、ＣＰＵ１１から供給された画像を、画像処理を行ってから専用画像処理回路２１２に供給する。専用画像処理回路２１２は、供給された画像を、画像処理を行ってから専用画像処理回路２１３に供給する。専用画像処理回路２１３は、供給された画像を、画像処理を行ってから共通画像処理回路２１４に供給する。共通画像処理回路２１４は、供給された画像を、画像処理を行ってから付与回路２５に供給する。
【００２１】
モード設定回路２２は、ＣＰＵ１１から指示されたモードに従い、画像処理を行う回路を設定する。モードとは、動作体系を表す情報であり、例えば画像を拡大するモードや画質を向上させるモード、その他のモード、それらを組み合わせたモードなどがある。モードが決まると、動作すべき画像処理回路も決まるようになっている。つまり、モードの指示は、行うべき画像処理を指定することを意味する。
【００２２】
モード設定回路２２は、モードが指示されることで、行うべき画像処理が指定されると、指定された画像処理を行う画像処理回路に対して、動作を指示する指示信号を発信する。指示信号は、本実施例では「０」と「１」を交互に繰り返す信号である。モード設定回路２２は本発明の「発信部」の一例であり、指示信号は本発明の「第１信号」の一例である。
【００２３】
指示信号線群２３は、それぞれがモード設定回路２２により発信された指示信号を伝達する信号線である。指示信号線群２３には、指示信号線２３１、２３２、２３３、２３４が含まれる。これらの指示信号線は、それぞれ、一端がモード設定回路２２に接続され、他端が自信号線に対応する画像処理回路（共通画像処理回路２１１、専用画像処理回路２１２、専用画像処理回路２１３、共通画像処理回路２１４）に接続されている。各画像処理回路は、自回路に接続された指示信号線により指示信号が伝達されると、自回路に対応する画像処理を行う。
【００２４】
通知信号線群２４は、それぞれが、指示信号が伝達されたことを示す通知信号を伝達する信号線である。通知信号線群２４には、通知信号線２４２、２４３が含まれている。通知信号線２４２は、一端が指示信号線２３２に接続され、他端が付与回路２５に接続されている。通知信号線２４３は、一端が指示信号線２３３に接続され、他端が付与回路２５に接続されている。
【００２５】
つまり、通知信号線は、専用画像処理回路２１２、２１３に接続された指示信号線に接続されている。通知信号線は、例えば自信号線が接続する指示信号線を伝達される指示信号と共通の信号（本実施例では「０」と「１」を交互に繰り返す信号）を通知信号として伝達する。一方、共通画像処理回路２１１、２１４にそれぞれ接続された指示信号線２３１、２３４には、いずれも通知信号線が接続されていない。
【００２６】
通知信号線２４２、２４３がそれぞれ接続された指示信号線２３２、２３３はいずれも本発明の「第１信号線」の一例であり、通知信号線２４２、２４３はいずれも本発明の「第２信号線」の一例である。また、通知信号線が接続されていない指示信号線２３１、２３４は本発明の「第３信号線」の一例である。また、第１信号線の一例である指示信号線２３２、２３３に接続された専用画像処理回路２１２、２１３は、いずれも本発明の「第１回路」の一例であり、第３信号線の一例である指示信号線２３１、２３４に接続された共通画像処理回路２１１、２１４は、いずれも本発明の「第２回路」の一例である。
【００２７】
付与回路２５は、前述のとおり接続された通知信号線を介して通知信号が伝達されてきた場合、その通知信号に応じた通知情報を、その通知信号線が接続された指示信号線（本実施例では指示信号線２３２、２３３）に接続された画像処理回路（本実施例では専用画像処理回路２１２、２１３）により処理が行われた画像に付与する。
【００２８】
図３は画像に付与された通知情報の一例を表す。図３では、図２に表す各画像処理回路により画像処理が行われた画像Ａ１と、その画像Ａ１の角に付与された線の画像Ｂ１とが表されている。この画像Ｂ１は、付与回路２５が付与した通知情報である。付与回路２５は、こうして通知情報を付与した画像をスキャン画像処理部２０の外部に出力する。より詳細には、付与回路２５から出力された画像は、他の回路を通過することなく外部（この場合バス９）に到達するようになっている。
【００２９】
出力された画像は、例えばＮＩＣ制御部１６及びＮＩＣ６を介してユーザ端末に送信される。ユーザは、ユーザ端末を操作して送信されてきた画像を表示し、その画像、すなわちスキャンした画像の角に画像Ｂ１が付与されていれば、専用画像処理回路が使用されたことを知ることになる。
【００３０】
なお、図２に表す画像処理回路群２１は一例であり、指示されるモードによっては、例えば共通画像処理回路による画像処理だけが行われることになる。スキャン画像処理部２０においては、共通画像処理回路に接続されている指示信号線には、図２に表す指示信号線２３１、２３４に限らず、通知信号線が接続されていない。そのため、共通画像処理回路による画像処理だけが行われる場合には、付与回路２５に通知信号が伝達されず、通知情報も画像に付与されない。従って、ユーザは、スキャンした画像の角に画像Ｂ１が付与されていなければ、専用画像処理回路が使用されていないこと、言い換えると共通画像処理回路だけが使用されたこと、を知ることになる。
【００３１】
図４はプリント画像処理部３０の詳細構成を表す。プリント画像処理部３０は、画像処理回路群３１と、モード設定回路３２と、指示信号線群３３と、通知信号線群３４と、付与回路３５とを備える。これらは、図２に表す各構成を共通する構成である。ただし、図３の例では、画像処理回路群３１に３つの専用画像処理回路３１１、３１３、３１４が含まれ、１つの共通画像処理回路３１２が含まれている。
【００３２】
このように、専用画像処理回路及び共通画像処理回路がいくつ含まれ、どの順番で画像処理が行われるかは、指示されるモードによって変化する。使用される画像処理回路の個数は１以上であればよく、専用画像処理回路だけ又は共通画像処理回路だけで画像処理が行われてもよい。スキャン画像処理部２０及びプリント画像処理部３０は、いずれも、本発明の「集積回路」の一例である。
【００３３】
また、スキャン画像処理部２０により通知情報が付与された画像は、前述したようにＮＩＣ制御部１６及びＮＩＣ６によりユーザ端末に送信される。ＮＩＣ制御部１６及びＮＩＣ６が行う送信処理は、スキャン画像処理部２０により通知情報が付与された画像をユーザに提供するための処理である。ＮＩＣ制御部１６及びＮＩＣ６が行う送信処理は本発明の「処理部」の一例である。他にも、ＵＩ制御部１３がＵＩ３に画像を表示する処理やプリントエンジン８が画像を媒体に形成する処理も通知情報が付与された画像をユーザに提供するための処理であり、これらの処理を行う各部はいずれも本発明の「処理部」の一例である。
【００３４】
画像処理装置１は、上記の構成に基づいて、画像に通知情報を付与する付与処理を行う。
図５は付与処理における画像処理装置１の動作手順の一例を表す。図５の例では、スキャン画像処理部２０により画像処理が行われ、且つ、画像処理を行う回路に専用画像処理回路が１以上含まれているものとする。この動作手順は、画像処理装置１に対して何らかのモードを指示する操作をユーザが行うことを契機に開始される。
【００３５】
まず、画像処理装置１（モード設定回路２２）は、ユーザによるモードの指示を受け取ると（ステップＳ１１）、指示されたモードに応じて指定される画像処理を行う画像処理回路に接続されている指示信号線に対して指示信号を発信する（ステップＳ１２）。画像処理装置１（指示信号線群２３）は、ステップＳ１２で発信された指示信号を伝達する（ステップＳ１３）。
【００３６】
画像処理装置１（画像処理回路群２１）は、指示信号を受け取ると、供給される画像に対して画像処理を行う（ステップＳ２１）。ステップＳ２１の動作に並行して、画像処理装置１（通知信号線群２４）は、専用画像処理回路に接続されている指示信号線に指示信号が伝達されたことを示す通知信号を伝達する（ステップＳ３１）。次に、画像処理装置１（付与回路２５）は、ステップＳ２１で画像処理が行われた画像に、ステップＳ３１で伝達された通知信号に応じた通知情報を付与する（ステップＳ４１）。そして、画像処理装置１（付与回路２５）は、通知情報を付与した画像を出力する（ステップＳ４２）。
【００３７】
本実施例では、画像処理が行われた画像に通知情報が付与されることで、特定の回路（専用画像処理回路）が使用されたことがユーザによって確認される。また、共通画像処理回路が使用されても通知情報は付与されないので、全ての回路の使用に対して通知情報を付与する場合に比べて、特定の回路（専用画像処理回路）が使用されなかった場合の画質が向上する。また、本実施例では、例えば付与回路２５が通知情報を付与した画像を、他の回路を介さずにスキャン画像処理部２０の外部に出力するので、集積回路内でその画像が改ざんされることがない。
【００３８】
［２］変形例
上述した実施例は本発明の実施の一例に過ぎず、以下のように変形させてもよい。また、実施例及び各変形例は、必要に応じて組み合わせて実施してもよい。
【００３９】
［２−１］通知情報の付与方法
付与回路が通知情報を付与する付与方法は上記のものに限らない。付与回路は、例えば人間の目に認識されにくい黄色いドット（いわゆるイエロードット）を通知情報として付与してもよいし、ウォーターマークや電子透かしを通知情報として付与してもよい。また、付与回路は、画像の一部を変更することで通知情報を付与してもよい。
【００４０】
また、付与回路は、テキストや符号化されたコード（バーコードやＱＲコードなど(登録商標)）を通知情報として付与してもよい。また、付与回路は、人間が視認可能な画像を通知情報として付与してもよいし、人間が視認できない画像（ただし、コンピュータ等で画像を解析することで付与された通知情報を抽出できる画像）を通知情報として付与してもよい。いずれの方法で通知情報を付与する場合でも、付与された通知情報によって画像の画質が劣化する度合いが少ないほど望ましい。
【００４１】
［２−２］詳細な通知情報
図３に表す画像Ｂ１は専用画像処理回路が使用されたことだけを表す通知情報であったが、これに限らず、より詳細な通知情報が付与されてもよい。例えばイエロードットやウォーターマーク、電子透かしが付与される場合、付与回路は、使用された専用画像処理回路を識別する識別情報（回路名や回路番号など）を表す通知情報を付与してもよいし、専用画像処理回路が使用された日時や使用を指示したユーザ端末の装置ＩＤ（この装置ＩＤは例えばＣＰＵ１１が付与回路に提供する）などを表す通知情報を付与してもよい。これにより、許可されていないユーザが専用画像処理回路を使用した場合の使用態様がより詳細に確認されることになる。
【００４２】
［２−３］画像の解像度
通知情報の付与方法が例えば画像の解像度に応じて異なっていてもよい。その場合、付与回路は、専用画像処理回路により処理が行われた画像が供給されてくると、その画像の解像度に応じた方法で通知情報をその画像に付与する。付与回路は、例えば画像の解像度と付与方法とを対応付けた付与方法テーブルを用いる。
【００４３】
図６は付与方法テーブルの一例を表す。図６の例では、「閾値Ｔｈ１未満」という画像の解像度に「画像の一部変更」という付与方法が対応付けられている。また、「閾値Ｔｈ１以上Ｔｈ２未満」には「イエロードット」が、「閾値Ｔｈ２以上」には「電子透かし」が対応付けられている。付与回路は、画像処理回路群から画像が供給されると、その画像の解像度に対応付けられている方法で通知情報を付与する。
【００４４】
例えば図６の例であれば、画像の解像度が低ければ画像の一部を変更しても目立たないので画像の一部変更が用いられる。一方、画像の解像度が高ければ、イエロードットや電子透かしが表す情報の読み取り精度も向上するので、これらの付与方法が採用されている。このように、本変形例によれば、画像の解像度に合った方法で通知情報が付与されることになる。
【００４５】
［２−４］通知情報の付与タイミング
付与回路は、上記の各例では専用画像処理回路が画像処理を行った場合、その画像処理が行われた画像に必ず通知情報を付与したが、これに限らない。付与回路は、例えば専用画像処理回路により決められた回数の画像処理が行われる度に通知情報を付与してもよい。また、付与回路は、予め決められた期間（例えば画像処理装置が頻繁に使用される期間又はあまり使用されない期間など）において通知情報を付与してもよいし、外部装置（例えば専用画像処理回路の不正使用の有無を管理する者が使用する装置）から指示された期間において通知情報を付与してもよい。
【００４６】
また、通知情報を付与する頻度を変化させてもよい。この場合、付与回路は、例えば、通知信号が伝達される頻度に応じた頻度で通知情報を画像に付与する。付与回路は、例えば通知信号の伝達頻度と通知情報の付与頻度とを対応付けた付与頻度テーブルを用いる。
図７は付与頻度テーブルの一例を表す。図７の例では、「１日１０回未満」という通知信号の伝達頻度に「全画像」という通知情報の付与頻度が対応付けられている。また、「１日１０回以上５０回未満」には「画像５枚毎」が、「１日５０回以上」には「画像１０枚毎」が対応付けられている。
【００４７】
付与回路は、通知信号線群から伝達される通知信号の頻度を記憶しておき、過去の１日間における通知信号の数（この例における通知信号の伝達頻度を表す）に付与頻度テーブルで対応付けられている頻度で通知情報を画像に付与する。図７の例では、専用画像処理回路が使用される回数が多いほど付与頻度を少なくしている。専用画像処理回路が使用される回数が少ない場合、通知情報が付与される画像も少なくなるので、付与頻度を少なくすると通知情報が付与された画像を見つけにくくなる。図７の例ではその場合に付与頻度を多くすることで、通知情報が付与された画像を見つけやすくしている。
【００４８】
一方、専用画像処理回路が使用される回数が多い場合に付与頻度を多くすると、通知情報が付与された画像が多くなり、画質が変化したという印象をユーザに与える可能性が高くなる。図７の例ではその場合に付与頻度を少なくすることで、前述の印象を与える可能性を減らしている。なお、専用画像処理回路が使用される回数が多いほど付与頻度を多くして、不正の度合いが高いユーザには、許可されていない回路を使用していることをユーザ自身に早く気付かせるようにしてもよい。いずれの場合も、本変形例では、特定の回路が使用される頻度に合った頻度で通知情報が付与されることになる。
【００４９】
［２−５］付与回路の配置
付与回路の配置が実施例と異なっていてもよい。
図８は本変形例に係る画像処理装置１ａのハードウェア構成を表す。画像処理装置１ａは、ＳＯＣ１０ａを備え、ＳＯＣ１０ａは、スキャン画像処理部２０ａと、通知信号線群２４ａと、４つの付与回路２５ａとを備える。４つの付与回路２５ａは、それぞれＵＩ制御部１３、ＤＲＡＭ制御部１４、ストレージ制御部１５、ＮＩＣ制御部１６に接続されている。各付与回路２５ａは、通知信号線群２４ａを介してスキャン画像処理部２０ａと接続されている。
【００５０】
スキャン画像処理部２０ａにおいて専用画像処理回路が使用されて画像Ａに画像処理が行われると、スキャン画像処理部２０ａから通知信号線群２４ａを介して付与回路２５ａに通知信号が伝達される。例えばその画像Ａをタッチスクリーンに表示する操作が行われて、ＵＩ制御部１３がＵＩ３に表示させるために付与回路２５ａに画像Ａを供給すると、付与回路２５ａは、供給された画像Ａに通知情報を付与してＵＩ３に向けて出力する。これにより、付与回路２５ａは、通知情報を付与した画像を他の回路を介さずにＳＯＣ１０ａの外部に出力する。
【００５１】
他の付与回路２５ａも、ＤＲＡＭ４、ストレージ５、ＮＩＣ６に対して出力される前の画像に通知情報を付与し、通知情報を付与した画像を他の回路を介さずにＳＯＣ１０ａの外部に出力する。本変形例におけるＳＯＣ１０ａは本発明の「集積回路」の一例である。本変形例においても、実施例のように、通知情報が付与された画像が集積回路内で改ざんされることがない。
【００５２】
［２−６］発明のカテゴリ
本発明は、上述したスキャン画像処理部２０やプリント画像処理部３０、ＳＯＣ１０ａのように付与回路を備える集積回路や、その集積回路を備える画像処理装置として捉えられる。また、本発明は、それらの集積回路や画像処理装置が実施する処理を実現するための情報処理方法としても捉えられるし、集積回路及び画像処理装置というコンピュータを機能させるためのプログラムとしても捉えられる。このプログラムは、それを記憶させた光ディスク等の記録媒体の形態で提供されてもよいし、インターネット等の通信回線を介してコンピュータにダウンロードさせ、それをインストールして利用可能にするなどの形態で提供されてもよい。
【符号の説明】
【００５３】
１…画像処理装置、１０…ＳＯＣ、２０…スキャン画像処理部、３０…プリント画像処理部、２１、３１…画像処理回路群、２２、３２…モード設定回路、２３、３３…指示信号線群、２４、３４…通知信号線群、２５、３５…付与回路。
【図１】
2017158100.tif 000003
【図２】
2017158100.tif 000004
【図３】
2017158100.tif 000005
【図４】
2017158100.tif 000006
【図５】
2017158100.tif 000007
【図６】
2017158100.tif 000008
【図７】
2017158100.tif 000009
【図８】
2017158100.tif 000010